(57)【要約】【目的】丸編機で製造した編地を扁平状にした後、収納箱にＺ状に折り畳みながら収納する装置において、折り畳んだ編地の端の部分が嵩高に盛り上がらないようにする。【構成】収納箱底部において編地を収納する位置の中央部を相対的に高くする手段を設けている。前記手段としては、例えば  （１）前記収納箱底部に載置された台であるもの、（２）前記収納箱底部自体の隆起により形成されているもの、がある。載置台としては、例えば、（ａ）中央から周囲に向かってなだらかな傾斜部を有するもの、（ｂ）編地の編幅および折り畳み長さよりも小さいもの、（ｃ）編地幅に応じて伸縮自在であるもの、（ｄ）蒲鉾型であるもの、（ｅ）切妻屋根、寄棟屋根、ドーム屋根型その他の屋根型であるもの、が使用可能である。【選択図】  図２
2004360132.tif 000002
【特許請求の範囲】
【請求項１】
編機の編成部で編まれた編地（１３）を折り畳みながら収納する収納箱（１１）を有する編地収納装置（１０）において、前記収納箱底部の中央部を相対的に高くする手段を設けたことを特徴とする編地収納装置。
【請求項２】
前記中央部を相対的に高くする手段が前記収納箱底部に載置された台（２０）である請求項１記載の装置。
【請求項３】
前記載置台（２０）が編地の編幅および折り畳み長さよりも小さいものである請求項２記載の装置。
【請求項４】
前記載置台（２０Ａ）が編地幅に応じて伸縮自在である請求項２又は３記載の装置。
【請求項５】
前記載置台が蒲鉾型（２０，２０Ａ）である請求項２ないし４のいずれかに記載の装置。
【請求項６】
前記載置台が屋根型（２１Ｂ），（２１Ｃ），（２１Ｄ），（２１Ｅ）である請求項２ないし４のいずれかに記載の装置。
【請求項７】
前記中央部を相対的に高くする手段が前記収納箱底部自体の隆起（２１Ｆ）により形成されている請求項１記載の装置。
【請求項８】
前記収納箱の上方に位置する送出ローラ（１４Ａ，１４Ｂ）を３本設置した請求項１ないし７のいずれかに記載の装置。
【請求項９】
前記収納箱の上方に位置する送出ローラ（１４Ｂ）の下部に編地巻き込み防止用ガイド（３０）を設けた請求項１ないし８のいずれかに記載の装置。
【請求項１０】
請求項１ないし９の何れかに記載の編地収納装置（１０）を有する丸編機。
【発明の詳細な説明】
【０００１】
【発明の属する技術分野】
本発明は編地収納装置に関する。特に、編機（例えば、丸編機）の部品であって、編成部で編まれた編地をＺ状に折り畳みながら収納する収納箱を有する編地収納装置に関する。また、その装置を有する丸編機に関する。
【０００２】
【従来の技術】
丸編機で製造した編地を収納する方法として、（１）巻取リールにロール状に巻き取る方法と、（２）  扁平状にした後、収納箱にＺ状に折り畳みながら収納する方法がある。（２）の先行技術として、例えば下記特許文献１、２がある。
【０００３】
【特許文献１】特開２００１−２７９５６３公報
【特許文献２】特開２０００−２３４２４６公報
【０００４】
【発明が解決しようとする課題】
丸編機で製造された円筒状の編地を巻取りローラーで扁平状にした後、折り畳んでいるため、特許文献１，２を含む先行技術では、折り畳んだ編地の端の部分が嵩高に盛り上がり、収納箱に収納できる編地の量は限られていた。また、折り畳まれた編地が上方に積層すると、編機の遠心力などによって積層した編地が崩れることがあった。さらに、嵩高に盛り上がった編地の端が折れ曲がり、折皺の欠点となることがあった。
【０００５】
そこで、本発明は、折り畳んだ編地の端の部分が嵩高に盛り上がらないような編地収納装置を提供することを目的とする。
【０００６】
【課題を解決するための手段】
本発明の編地収納装置は、編機の編成部で編まれた編地を折り畳みながら収納する収納箱を有する編地収納装置において、前記収納箱底部の中央部を相対的に高くする手段を設けたことを特徴とする。
【０００７】
また、本発明の丸編機は、この編地収納装置を有することを特徴とする。
【０００８】
【発明の実施の態様】
前記中央部を相対的に高くする手段には、例えば次のような実施形態がある。
（１）前記収納箱底部に載置された台であるもの。
（２）前記収納箱底部自体の隆起により形成されているもの。
最高部分の高さは、５０ｍｍ〜２００ｍｍ程度が好ましく、より好ましくは１００〜１５０ｍｍ程度である。
【０００９】
前記（１）の載置台にも、例えば次のような実施形態がある。
（ａ）中央から周囲に向かってなだらかな傾斜部を有するもの。
（ｂ）編地の編幅および折り畳み長さよりも小さいもの。
（ｃ）編地幅に応じて伸縮自在であるもの。
（ｄ）蒲鉾型であるもの。
（ｅ）切妻屋根、寄棟屋根、ドーム屋根型その他の屋根型であるもの。
（ｆ）半球型であるもの。
（ｇ）直方体型、立方体型、円柱型であるもの。
（ｈ）不定形であるもの。
（ｉ）小型の載置台を複数個使用したもの。
【００１０】
前記収納箱の改良に加え、送出ローラ及びその周辺にも改良を加えることが好ましい。この改良は、例えば次のとおりである。
（ｊ）送出ローラを３本設置する。
（ｋ）  送出ローラ下部に編地巻き込み防止用ガイドを設ける。このガイドは例えば断面Ｌ字型である。
【００１１】
【作用】
編地は、中央部を相対的に高くする手段の上でＺ状に折り畳まれる。嵩高になる編地端部は、編地中央部より低い位置で積層するので、折り畳んだ編地の端の部分が嵩高に盛り上がらない。
【００１２】
【実施例】
以下、添付の図面に基づき、本発明の実施例を説明する。
【００１３】
＜第１実施例＞
図１に示すような編地収納装置１０が丸編機の編成部（図示せず）の下方に設けられており、この中で、例えば編幅が９６０ｍｍ、折り畳み長さが５００ｍｍの編地１３が折り畳まれている。編地収納装置１０は、編地を収納する収納箱１１と、編地をＺ状に振り分けるトラバース装置１２からなる。
【００１４】
収納箱１１は上方が開放した箱である。蓄積した編地１３を取り出しやすくするため、１側面は蝶番などにより開放可能である。図示の例では前扉が倒れる形で開閉可能である。
【００１５】
トラバース装置１２は収納箱上の送出ローラ１４，１４と、その駆動装置１５からなる。送出ローラ１４は一対のアーム１６，１６により支持され、例えば駆動プーリ１７と駆動ベルト１８により駆動される。送出ローラ１４，１４は、アームの水平往復運動又は円弧往復運動により、収納箱１１上で往復しながら、編地１３をＺ状に振り分ける。図示しないが、送出ロールが静止し、収納箱が往復運動するようにしてもよい。
【００１６】
編地収納箱１１の底面には、本発明の特徴部分である台２０が載置されている。この載置台２０は、編地の編幅および折り畳み長さよりも小さく、外向きに下降する傾斜部２１を有する。載置台２０は、編地の編幅に対応した幅（Ｘ）が８００ｍｍ、折り畳み長さに対応した長さが３００ｍｍ（Ｙ）で、長辺中央部の高さ（Ｚ１）が１１０ｍｍ、長辺端部の高さ（Ｚ２）が４０ｍｍの蒲鉾型である。
【００１７】
この載置台２０を使用すると、丸編機で製造された円筒状の編地１３は送出ローラで扁平状にされた後、図２に示すように、嵩高になる編地端部は、編地中央部より低い位置で積層するので、折り畳んだ編地の端の部分が嵩高に盛り上がらない。
【００１８】
＜第２−７実施例＞
図３は、載置台２０の変形例を示す第２−７実施例である。
【００１９】
第２実施例の載置台２０Ａは、第１実施例の載置台において、Ｘ方向に伸縮自在としている。伸縮機構としては、例えば中空載置台のＹ方向に切れ目２２を入れて、重なり部分２３を作り、重なり部分の長さを人為的に調節することによる。図示しないが、Ｙ方向に伸縮自在としてもよい。
【００２０】
第３−７実施例は載置台の形状を変更したものである。第４実施例の載置台２０Ｃは切妻屋根型、第５実施例の載置台２０Ｄは寄棟屋根型、第３実施例の載置台２０Ｂは切妻屋根型から頭部と底部を除去したような形状、第６実施例の載置台２０Ｅは寄棟屋根型から頭部を除去したような形状、第７実施例はドーム屋根型である。それぞれ傾斜部（２１Ｃ−Ｆ）を有する。その他、図示しないが、半球型、直方体型、立方体型、円柱型、不定形であってもよい。さらに、小型の載置台を複数個使用することもできる。
【００２１】
＜第８実施例＞
第８実施例は、載置台を付加するのではなく、図４に示すように、編地収納箱の底部自体を台２０Ｇの形に隆起させて、外向きに下降する傾斜部２１Ｇを形成している。隆起させる収納箱底部の形状については実施例１−７と同様である。この実施例では前扉は横方向に開閉する。
【００２２】
＜第９実施例＞
図５に示す第９実施例では、実施例１−８における収納箱の改良に加え、送出ローラ１４Ａが３本設置されている。編み糸の性質や編み組織によって、巻取張力を弱くする場合は図５Ａのように、巻取張力を強くする場合は図５Ｂのように編地を通す。
【００２３】
＜第１０実施例＞
図６に示す第１０実施例では、実施例１−８における収納箱の改良に加え、送出ローラ１４Ｂ下部に編地巻き込み防止用ガイド３０を設けている。編地はＬ字型のガイドの開口３１を通って収納箱に収納される。このガイドを設けることで、編地が収納箱の上部まで積層した場合に、積層した編地が送出ローラ１５Ｂに巻き込むのを防止することができる。また、収納箱が往復運動する機構の場合、収納箱の往復運動に伴ない、Ｌ字型断面のガイド３０が、積層した編地の嵩高になった部分を収納箱に押し込み、より多くの編地を収納することが可能になる。
【００２４】
【発明の効果】
本発明によれば、編地は中央部を相対的に高くする手段の上に跨った状態で積層するため、収納箱に積層した編地が崩れることがなく、また収納箱の容量いっぱいまで収納することができる。さらに、嵩高に盛り上がった編地の端も折れ曲がることがなくなり、折皺ができにくくなった。表にすると次のとおりである。
【表１】
2004360132.tif 000003
【図面の簡単な説明】
【図１】編地収納装置の斜視図である。
【図２】稼動中の編地収納装置の斜視図である。
【図３】載置台の変形例を示す第２−７実施例である。
【図４】台の変形例を示す第８実施例である。
【図５】送出ローラの変形例を示す第９実施例である。
【図６】Ｌ字型ガイドを設けた変形例を示す第１０実施例である。
【符号の説明】
１０    編地収納装置
１１    収納箱
１２    トラバース装置
１３    編地
１４    送出ローラ
１４Ａ，１４Ｂ  送出ローラ
１５    駆動装置
１６，１６    アーム
１７    駆動プーリ
１８    駆動ベルト
２０    台
２１    傾斜部
２０Ａ，２０Ｂ，２０Ｃ，２０Ｄ，２０Ｅ        台
３０    編地巻き込み防止用ガイド
【図１】
2004360132.tif 000004
【図２】
2004360132.tif 000005
【図３】
2004360132.tif 000006
【図４】
2004360132.tif 000007
【図５】
2004360132.tif 000008
【図６】
2004360132.tif 000009